【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
図１に示されるＩＲスペクトルを示す構造で、図２に示す生分解曲線を示し、好ましくは、透明な性状を有することを特徴とする高分子物質。
【請求項２】
培養段階で珪酸又は珪酸マグネシウムが添加されていることを特徴とする請求項１記載の高分子物質。
【請求項３】
既存のポロプロピレンを構成要件とする高分子物質において、前記ポロプロピレンの少なくとも１部を、請求項１又は２記載のいずれかの高分子物質で代替することを特徴とする高分子物質。
【請求項４】
原料の少なくとも１つがポロプロピレンである高分子物質において、前記ポロプロピレンの少なくとも１部を、請求項１又は２記載のいずれかの高分子物質で代替することを特徴とする高分子物質。
【請求項５】
請求項１又は２記載のいずれかの高分子物質の少なくとも１つを成分とすることを特徴とするバインダー、又は、該バインダーを用いて成形されている植物由来の生分解性天然素材のいずれか１つ。
【請求項６】
デンプンに、請求項１又は２記載のいずれかの高分子物質を混合し、成形されていることを特徴とする植物由来の生分解性天然素材。
【請求項７】
請求項１−６記載の、高分子物質、バインダー又は植物由来の生分解性天然素材の少なくともいずれか１つを成形して得られることを特徴とする、生鮮食品のトレイ、即席食品容器、ファーストフード容器或いは弁当箱を含む食品包装資材、インクカートリッジ容器、ボトル、車両用部品、車両内装材、玩具、農林水産用資材、土木・建築資材、野外レジャー用品、電子機器枠体、家具・家電品の外装材、生理用品・衛生用品、事務用品、衣料、被覆材、保水性・吸水性資材、医療関連資材、積層フィルム、又は、接着剤のうちの１つ。
【請求項８】
上記ボトルの素材の表面、裏面、又は中間面のうちの少なくとも一部にガスバリア性素材を配置又は積層し、該ガスバリア性素材が、生分解性天然素材からなることを特徴とする請求項７に係るボトル。
【請求項９】
請求項５又は６記載のいずれかの生分解性天然素材を、真空成型手段を用いて成形したことを特徴とするトレイ状又はカップ状のいずれかの物品。
【請求項１０】
請求項５又は６記載のいずれかの生分解性天然素材を、射出成形して中間物品を得、更に、該中間物品を延伸・ブロー成形して加工するＣｏｌｄ  Ｐａｒｉｓｏｎ法を用いることを特徴とするボトルの製造方法。
【請求項１１】
請求項５又は６記載のいずれかの生分解性天然素材を、射出成形し、続いて、延伸・ブロー成形する単一の成形機で加工するＨｏｔ  Ｐａｒｉｓｏｎ法を用いることを特徴とするボトルの製造方法。
【請求項１２】
請求項５又６記載のいずれかの生分解性天然素材を成形する方法において、その素材を、粉末状態において加熱及び加圧するか、又は、金型内で粉末状態において加熱し、延ばしながら加圧することを特徴とするいずれか１つの生分解性天然素材の成形方法。
【手続補正２】
【補正対象書類名】明細書
【補正対象項目名】０００８
【補正方法】変更
【補正の内容】
【０００８】  上記デンプンの原料としては、トウモロコシ、馬鈴薯、甘藷、穀物デンプン（小麦、コウリャン、米等）、タピオカ、サゴ、キャッサバ、豆、葛、ワラビ、蓮、ヒシなどが利用できるが、特に原材料が安く大量に入手できる点から、トウモロコシやコウリャンが好ましく、また、これ等の組み合わせを用いてもよい。
【手続補正３】
【補正対象書類名】明細書
【補正対象項目名】００３４
【補正方法】変更
【補正の内容】
【００３４】
以下、実施例により本発明をより具体的に説明するが、本発明の技術的範囲はこれらの例示に限定されるものではない。
【実施例１】
実施例１として、納豆容器の製造に採用することができる。例えば、培養原料として、トウモロコシから、コーンスターチ由来のデンプンを製造し、該デンプンと、この発明にかかる高分子物質、即ち、コウリャンデンプンをイヴリ菌によって処理（イヴリ菌による体内重合）して得られた粘着材（バインダー）と、を混練機により十分混練し、イヴリ原料を得る。そして、これを押出成形により、シート状にし、このシート状イヴリ原料を真空成形によって、納豆容器に成形し、完成する。また、上記イヴリ原料は、その成形方法において、金型内で、粘着材を粉末状態において加熱し、トウモロコシデンプンとともに、延ばしながら加圧することで、成形型が得られる。
【手続補正４】
【補正対象書類名】明細書
【補正対象項目名】００３５
【補正方法】変更
【補正の内容】
【００３５】更に、「食品用トレイ」を製造するに当たって、例えば、特開２００７−１６０７００号公報記載の「ポリプロピレン」を用いたトレイに代えて、その全体の素材を本発明の生分解性天然素材を用いることができる。
【手続補正５】
【補正対象書類名】明細書
【補正対象項目名】００３６
【補正方法】変更
【補正の内容】
【００３６】更に、例えば、特開平８−１９５６２６号公報記載の「インクカートリッジ容器」の製造に当たって、原料のポリプロピレンに代えて、本発明の生分解性天然素材を用いて成形することができる。
【手続補正６】
【補正対象書類名】明細書
【補正対象項目名】００３７
【補正方法】変更
【補正の内容】
【００３７】更に、例えば、特開２００１−１３８８４６号公報記載の「車両用内装材」の製造に当たって、原料のポリプロピレンに代えて、本発明の生分解性天然素材を用いて成形することができる。
【手続補正７】
【補正対象書類名】明細書
【補正対象項目名】００３８
【補正方法】変更
【補正の内容】
【００３８】更に、例えば、特開２００４−２２９８１７号公報記載の「玩具」の製造に当たって、原料のポリプロピレンに代えて、本発明の生分解性天然素材を用いて成形することができる。
【手続補正８】
【補正対象書類名】明細書
【補正対象項目名】００３９
【補正方法】変更
【補正の内容】
【００３９】更に、例えば、特開２００４−４３７０１号公報記載の「農業用資材」の製造に当たって、原料のポリプロピレンに代えて、本発明の生分解性天然素材を用いて成形することができる。
【手続補正９】
【補正対象書類名】明細書
【補正対象項目名】００４０
【補正方法】変更
【補正の内容】
【００４０】更に、例えば、特開２００２−２６６３３０号公報記載の「土嚢吸水帯」の製造に当たって、原料のポリプロピレンに代えて、本発明の生分解性天然素材を用いて成形することができる。
【手続補正１０】
【補正対象書類名】明細書
【補正対象項目名】００４１
【補正方法】変更
【補正の内容】
【００４１】更に、例えば、特開２００４−２７５１８１号公報記載の「疑似餌」の製造に当たって、原料のポリプロピレンに代えて、本発明の生分解性天然素材を用いて成形することができる。
【手続補正１１】
【補正対象書類名】明細書
【補正対象項目名】００４２
【補正方法】変更
【補正の内容】
【００４２】更に、例えば、特開２００６−０７７１７３号公報記載の家電品等の外装材としての「ポリオレフィン系樹脂フィルム」の製造に当たって、原料のポリプロピレンに代えて、本発明の生分解性天然素材を用いて成形することができる。
【手続補正１２】
【補正対象書類名】明細書
【補正対象項目名】００４３
【補正方法】変更
【補正の内容】
【００４３】更に、例えば、特開２００３−１３５５１５号公報記載の「生理用品等」の製造に当たって、原料のポリプロピレンに代えて、本発明の生分解性天然素材を用いて成形することができる。
【手続補正１３】
【補正対象書類名】明細書
【補正対象項目名】００４４
【補正方法】変更
【補正の内容】
【００４４】更に、例えば、特開２００３−１５５６６９号公報記載の「清涼感を有する布」の製造に当たって、原料のポリプロピレンに代えて、本発明の生分解性天然素材を用いて成形することができる。
【手続補正１４】
【補正対象書類名】明細書
【補正対象項目名】００４５
【補正方法】変更
【補正の内容】
【００４５】更に、例えば、特開２００６−１２４５９４号公報記載の「電源コード及び機器電線等の被覆材料として有用な難燃性樹脂組成物」の製造に当たって、原料のポリブロピレンに代えて、本発明の生分解性天然素材を用いて成形することができる。
【手続補正１５】
【補正対象書類名】明細書
【補正対象項目名】００４６
【補正方法】変更
【補正の内容】
【００４６】更に、例えば、特開２００３−３３９２３０号公報記載の「植物育成用フォーム培地」の製造に当たって、原料のポリプロピレンに代えて、本発明の生分解性天然素材を用いて成形することができる。
【手続補正１６】
【補正対象書類名】明細書
【補正対象項目名】００４７
【補正方法】変更
【補正の内容】
【００４７】更に、例えば、特開２００４−３２１４８４号公報記載の「医療用高分子ナノマイムロファイバー」の製造に当たって、原料のポリプロピレンに代えて、本発明の生分解性天然素材を用いて成形することができる。
また、請求項２１の発明に関連して、例えば、特表２００４−５２８９５１号公報記載の「乳房カップ」の製造に当たって、原料のポリプロピレンに代えて、本発明の生分解性天然素材を用いて成形することができる。
【手続補正１７】
【補正対象書類名】明細書
【補正対象項目名】００４８
【補正方法】変更
【補正の内容】
【００４８】更に、例えば、特開２００８−４９４８５号公報記載の積層フィルムとしての「ポリプロピレン系樹脂フィルム」の製造に当たって、原料のポリプロピレンに代えて、本発明の生分解性天然素材を用いて成形することができる。
【手続補正１８】
【補正対象書類名】明細書
【補正対象項目名】００４９
【補正方法】変更
【補正の内容】
【００４９】更に、例えば、特開２００２−３７０３２３号公報記載の「多層ブロー成形容器」の製造に当たって、原料のポリプロピレンに代えて、本発明の生分解性天然素材を用いて成形することができる。
【手続補正１９】
【補正対象書類名】明細書
【補正対象項目名】００５０
【補正方法】変更
【補正の内容】
【００５０】更に、例えば、特開平１０−１１４３２７号公報記載の「トレイ状容器」の製造に当たって、原料のポリプロピレンに代えて、本発明の生分解性天然素材を用いて成形することができる。
【手続補正２０】
【補正対象書類名】明細書
【補正対象項目名】００５１
【補正方法】変更
【補正の内容】
【００５１】更に、例えば、特開平７−２６６４１３号公報記載の「カップ状物品」の製造に当たって、シートの原料のポリプロピレンに代えて、本発明のシート状の生分解性天然素材を用いて成形することができる。
【手続補正２１】
【補正対象書類名】明細書
【補正対象項目名】００５２
【補正方法】変更
【補正の内容】
【００５２】更に、例えば、特開平７−２４２８６５号公報記載の「製本用ほっとメルト接着剤」の製造に当たって、原料のポリプロピレンに代えて、本発明の生分解性天然素材を用いて成形することができる。